(57)【要約】【課題】秘匿コンテンツが存在することを第三者に悟られること無く、正規のユーザのみが簡単な操作によって、秘匿コンテンツの存在確認を可能にし、秘匿コンテンツのロック状態を解除する。【解決手段】フォルダ管理部は、秘匿コンテンツを保存する領域をフォルダとして管理する。接点位置記憶部は、ユーザ認証を必要とする秘匿コンテンツ若しくは秘匿フォルダに対し、ユーザ認証に必要な認証位置情報と、タッチパネル上の位置とを対応付けて保存する。表示制御部は、表示画面に表示されるフォルダ又はフォルダの一覧を表示するためのアイコンが選択され、表示画面に対する接触状態が維持されたまま接触位置がタッチパネル上を移動した入力操作に応じて、接触位置と認証位置情報との比較によりユーザ認証を行い、ユーザ認証が成功した場合に、選択されたフォルダ又はアイコンに対応する秘匿コンテンツ又は秘匿フォルダを表示画面に表示する。【選択図】図３
2013152641.tif 000002
【特許請求の範囲】
【請求項１】
任意の可視情報を表示可能な表示画面を有する表示部と、前記表示画面に対する接触及び接触した位置の検出が可能なタッチパネルと、を有する携帯端末であって、
秘匿コンテンツを保存する領域をフォルダとして管理するフォルダ管理部と、
ユーザ認証を必要とする前記秘匿コンテンツ若しくは秘匿フォルダに対し、前記ユーザ認証に必要な認証位置情報と、前記タッチパネル上の位置とを対応付けて保存する接点位置記憶部と、
前記表示画面に表示される前記フォルダ、又は前記フォルダの一覧を表示するためのアイコンが選択され、前記表示画面に対する接触状態が維持されたまま接触位置が前記タッチパネル上を移動した入力操作に応じて、前記接触位置と前記認証位置情報との比較により前記ユーザ認証を行う表示制御部と、を備え、
前記表示制御部は、
前記ユーザ認証が成功した場合に、前記選択された前記フォルダ又は前記アイコンに対応する前記秘匿コンテンツ又は前記秘匿フォルダを前記表示画面に表示する携帯端末。
【請求項２】
請求項１に記載の携帯端末であって、
前記接点位置記憶部は、
前記秘匿コンテンツ若しくは前記秘匿フォルダに対して、互いに異なる複数の認証位置を表す認証位置情報、及び前記複数の認証位置の通過順序を保存し、
前記表示制御部は、
前記ユーザ認証において、前記接触位置の前記タッチパネル上の前記接触位置と前記複数の認証位置情報とを比較し、前記接触位置の前記タッチパネル上を移動中の前記接触位置が前記認証位置情報を通過した順序と前記接点位置記憶部に保存されている前記複数の認証位置の通過順序とに基づき認証する携帯端末。
【請求項３】
請求項１に記載の携帯端末であって、
前記接点位置記憶部は、
前記秘匿コンテンツ若しくは前記秘匿フォルダに対して、互いに異なる複数の認証位置を表す認証位置情報、及び通過回数情報を保存し、
前記表示制御部は、
前記ユーザ認証において、前記接触位置の前記タッチパネル上の前記接触位置と前記複数の認証位置情報との比較により、一致を検出した前記認証位置情報と前記通過回数情報とに基づき認証する携帯端末。
【請求項４】
請求項１〜３のうちいずれか一項に記載の携帯端末であって、
前記接点位置記憶部は、
前記フォルダ内の複数の秘匿コンテンツに対して、異なる認証位置情報を関連付けて保存し、
前記表示制御部は、
前記ユーザ認証において、前記入力操作により選択された前記秘匿コンテンツ毎に異なる認証位置情報を用いて認証する携帯端末。
【請求項５】
請求項１〜３のうちいずれか一項に記載の携帯端末であって、
前記接点位置記憶部は、
前記フォルダが複数存在する場合に、複数のフォルダに対して、異なる認証位置情報を関連付けて保持し、
前記表示制御部は、
前記ユーザ認証において、前記入力操作により選択された前記秘匿フォルダ毎に異なる認証位置情報を用いて認証する携帯端末。
【請求項６】
請求項１〜５のうちいずれか一項に記載の携帯端末であって、
前記表示制御部は、
前記ユーザ認証において、予め定めた所定時間以内に前記ユーザ認証の成功を検出しない場合は認証失敗とみなし、対応する秘匿コンテンツ又は秘匿フォルダの画面表示を禁止する携帯端末。
【請求項７】
請求項１〜６のうちいずれか一項に記載の携帯端末であって、
前記表示制御部は、
前記フォルダに対する前記入力操作について、前記ユーザ認証が成功した場合に、前記秘匿コンテンツへのアクセス及び前記秘匿コンテンツを除くユーザ認証を必要とする機能の制限を同時に解除する携帯端末。
【請求項８】
請求項１〜７のうちいずれか一項に記載の携帯端末であって、
前記表示制御部は、
秘匿属性を有する秘匿フォルダ、若しくは秘匿コンテンツを含む秘匿フォルダが含まれる複数フォルダの一覧表示が指示された場合に、ユーザの所定の入力操作により前記ユーザ認証に成功した場合に限り、前記秘匿フォルダを表示する携帯端末。
【請求項９】
請求項１〜８のうちいずれか一項に記載の携帯端末であって、
前記秘匿コンテンツ若しくは前記秘匿フォルダに関連付けられる前記認証位置情報を、前記タッチパネルに対するユーザの入力操作に従って、前記接点位置記憶部に登録するロック解除属性登録部と、を更に備える携帯端末。
【請求項１０】
請求項９に記載の携帯端末であって、
前記ロック解除属性登録部は、
検出した接触位置が、前記タッチパネルの矩形の４つの角部のうちいずれかに近い所定領域と一致した場合に、前記接触位置を前記認証位置情報として前記接点位置記憶部に登録する携帯端末。
【請求項１１】
任意の可視情報を表示可能な表示画面を有する表示部と、前記表示画面に対する接触及び接触した位置の検出が可能なタッチパネルと、を有する携帯端末を制御する表示制御方法であって、
秘匿コンテンツを保存する領域をフォルダとして管理するステップと、
ユーザ認証を必要とする前記秘匿コンテンツ若しくは秘匿フォルダに対し、前記ユーザ認証に必要な認証位置情報と、前記タッチパネル上の位置とを対応付けて保存するステップと、
前記表示画面に表示される前記フォルダ、又は前記フォルダの一覧を表示するためのアイコンが選択され、前記表示画面に対する接触状態が維持されたまま接触位置が前記タッチパネル上を移動した入力操作に応じて、前記接触位置と前記認証位置情報との比較により前記ユーザ認証を行うステップと、
前記ユーザ認証が成功した場合に前記選択された前記フォルダ又は前記アイコンに対応する前記秘匿コンテンツ又は前記秘匿フォルダを前記表示画面に表示するステップと、
を有する表示制御方法。
【発明の詳細な説明】
【技術分野】
【０００１】
本発明は、任意の可視情報を表示可能な表示画面を有する表示部と、表示画面に対する接触及び接触した位置の検出が可能なタッチパネルと、を含む携帯端末、及び携帯端末の表示制御方法に関する。
【背景技術】
【０００２】
例えば、携帯電話機又はスマートフォンのような携帯端末においては、ある種の機能の実行の前に、暗証番号などを用いてユーザを認証することが一般的に行われている。例えば、ユーザ個人のアドレス帳にアクセスする場合、又は課金を伴う新たな通信サービスを開始する場合に、利用者が正規のユーザであるかどうかを確認するために認証を行う。
【０００３】
また、特別な機能を利用する場合でなくても、個人情報を含む秘匿すべき情報にアクセスする場合には、正規のユーザ以外のアクセスを禁止するために、ユーザの認証を必要とする場合もある。例えば、送受信したメールの内容を含むコンテンツ、人物が写っている静止画又は動画のコンテンツ、送受信及び発着信の履歴を保持するコンテンツは、正規のユーザ以外が閲覧できないようにユーザの認証を行う場合がある。
【０００４】
ユーザの認証に関連する従来技術が、例えば特許文献１及び特許文献２に開示されている。
【０００５】
特許文献１においては、処理装置の画面上に見えない複数の隠しボタンが用意してある。これらの隠しボタンをタッチする順番を暗証番号と同じように処理装置が記憶しておく。管理者等が特殊モードへ移行するための操作を行う際に、隠しボタンをタッチする順番のパターンを処理装置が認証し、認証に成功すると特殊モードの操作を許可する。
【０００６】
特許文献２においては、秘匿ファイルを操作する際に、次のような認証を行う。すなわち、升目状に配列された複数のタッチ部を認証用画面に表示し、この認証用画面に対する複数回タッチの順序をパスワードとして利用し認証する。
【先行技術文献】
【特許文献】
【０００７】
【特許文献１】特開２００５−１４３９６７号公報
【特許文献２】特開２０１１−１６４７３７号公報
【発明の概要】
【発明が解決しようとする課題】
【０００８】
しかしながら、例えば正規のユーザ以外が操作できないように端末の動作をロックし、特許文献２のように特別な認証画面を表示すると、秘匿すべき情報が端末上に存在する事実が第三者に気づかれてしまう。つまり、第三者が秘匿情報（秘匿コンテンツ）への不正アクセスの興味を抱くことになりかねない。
【０００９】
特許文献１の認証技術では、操作するボタンが非表示の見えない隠しボタンなので、第三者はこれが認証画面であることに気づきにくい。しかし、見えない隠しボタンをタッチして暗証番号の場合と同等の入力操作を行うことになるので、正規のユーザであっても正しく入力することは困難である。つまり、隠しボタンが存在しない位置をタッチし、違う隠しボタンをタッチする可能性が高く、正しい入力操作は容易でない。
【００１０】
本発明は、上述した従来の事情に鑑みてなされたものであって、秘匿コンテンツが端末上に存在することを第三者に悟られること無く、簡単な操作によって、正規のユーザのみが秘匿コンテンツの存在確認を可能にすると共に、秘匿コンテンツのロック状態を解除することが可能な携帯端末及び表示制御方法を提供することを目的とする。
【課題を解決するための手段】
【００１１】
本発明は、任意の可視情報を表示可能な表示画面を有する表示部と、前記表示画面に対する接触及び接触した位置の検出が可能なタッチパネルと、を有する携帯端末であって、秘匿コンテンツを保存する領域をフォルダとして管理するフォルダ管理部と、ユーザ認証を必要とする前記秘匿コンテンツ若しくは秘匿フォルダに対し、前記ユーザ認証に必要な認証位置情報と、前記タッチパネル上の位置とを対応付けて保存する接点位置記憶部と、前記表示画面に表示される前記フォルダ、又は前記フォルダの一覧を表示するためのアイコンが選択され、前記表示画面に対する接触状態が維持されたまま接触位置が前記タッチパネル上を移動した入力操作に応じて、前記接触位置と前記認証位置情報との比較により前記ユーザ認証を行う表示制御部と、を備え、前記表示制御部は、前記ユーザ認証が成功した場合に、前記選択された前記フォルダ又は前記アイコンに対応する前記秘匿コンテンツ又は前記秘匿フォルダを前記表示画面に表示する。
【００１２】
この構成により、本発明の携帯端末は、秘匿コンテンツが端末上に存在することを第三者に悟られること無く、簡単な操作によってユーザ認証を行い、秘匿コンテンツの存在確認を可能にすると共に、秘匿コンテンツのロック状態を解除することができる。
【００１３】
また、本発明は、任意の可視情報を表示可能な表示画面を有する表示部と、前記表示画面に対する接触及び接触した位置の検出が可能なタッチパネルと、を有する携帯端末を制御する表示制御方法であって、秘匿コンテンツを保存する領域をフォルダとして管理するステップと、ユーザ認証を必要とする前記秘匿コンテンツ若しくは秘匿フォルダに対し、前記ユーザ認証に必要な認証位置情報と、前記タッチパネル上の位置とを対応付けて保存するステップと、前記表示画面に表示される前記フォルダ、又は前記フォルダの一覧を表示するためのアイコンが選択され、前記表示画面に対する接触状態が維持されたまま接触位置が前記タッチパネル上を移動した入力操作に応じて、前記接触位置と前記認証位置情報との比較により前記ユーザ認証を行うステップと、前記ユーザ認証が成功した場合に前記選択された前記フォルダ又は前記アイコンに対応する前記秘匿コンテンツ又は前記秘匿フォルダを前記表示画面に表示するステップと、を有する。
【００１４】
この構成により、本発明の表示制御方法は、秘匿コンテンツが端末上に存在することを第三者に悟られること無く、簡単な操作によってユーザ認証を行い、秘匿コンテンツの存在確認を可能にすると共に、秘匿コンテンツのロック状態を解除することができる。
【発明の効果】
【００１５】
本発明によれば、秘匿コンテンツが存在することを第三者に悟られること無く、簡単な操作によって、正規のユーザのみが秘匿コンテンツの存在確認を可能にすると共に、秘匿コンテンツのロック状態を解除することが可能になる。
【図面の簡単な説明】
【００１６】
【図１】携帯端末の外観の具体例を示す斜視図
【図２】図１に示した携帯端末のハードウェアの構成例を示すブロック図
【図３】図１に示した携帯端末における機能上の主要な構成要素を示すブロック図
【図４】ロック解除操作の場合の具体的な画面遷移例を示す模式図
【図５】認証用接点パターン登録の場合の具体的な画面遷移例を示す模式図
【図６】認証用接点パターンデータの構成例（１）を示す模式図
【図７】認証用接点パターンデータの構成例（２）を示す模式図
【図８】各コンテンツとそれに割り当てられる属性との関連を表すデータテーブルの構成例を示す模式図
【図９】ロック解除判定に関する動作を表すフローチャート
【図１０】コンテンツの認証用接点パターンを登録する場合の動作を表すフローチャート
【図１１】各フォルダと各フォルダに割り当てられる認証用接点パターンのデータとの関連を表すデータテーブルの構成例を示す模式図
【図１２】フォルダ一覧表示に関する動作を示すフローチャート
【図１３】ロック解除操作の場合の具体的な画面遷移例を示す模式図
【発明を実施するための形態】
【００１７】
本発明に係る携帯端末及び表示制御方法の具体的な実施形態について、各図を参照しながら以下に説明する。
【００１８】
＜携帯端末１の構成＞
＜物理的な構成例＞
本実施形態における携帯端末１の外観の具体例が図１に示されている。また、図１に示した携帯端末１のハードウェアの構成例が図２に示されている。
【００１９】
図１に示すように、携帯端末１は矩形の板状の筐体１０により構成されている。筐体１０の外面には、表示装置１４０が一体に設けられたタッチパネル１３０と、音声を出力するスピーカ３３と、音声を集音するマイクロフォン３４とが設けてある。
【００２０】
タッチパネル１３０、スピーカ３３及びマイクロフォン３４は、外部に露出した状態で配置されている。従って、ユーザはタッチパネル１３０の透明な操作面と重なっている表示装置１４０の画面を視認しながら、携帯端末１を用いて通話等の操作を行うことができる。
【００２１】
タッチパネル１３０は、例えば表示装置１４０の画面上に、表面に接触を検知するための素子が複数配置され、更にその素子上に透明なスクリーンが積層されることにより形成されている。
【００２２】
図２に示すように、携帯端末１は、主制御部３０、電源回路部３１、タッチパネル制御部３２、音声制御部３５、通信制御部３６、記憶部３７及び情報記録媒体３８を含む構成である。これらの各部は、共通のバスを介して相互に通信可能に接続されている。
【００２３】
電源回路部３１は、電力供給源（バッテリ等）を備え、タッチパネル１３０上に表示された操作キーの操作入力に従って、携帯端末１の各回路への電源電力の供給をオンオフ制御する。
【００２４】
タッチパネル１３０は、タッチパネル１３０の操作面への物体（人の指又は操作ペン等）の接触の有無を検知する機能と、接触を検知した位置を表す信号を出力する機能とを有している。タッチパネル制御部３２は、タッチパネル１３０がタッチパネル１３０に対する接触が有ったと検知した位置座標を取得して主制御部３０に伝送する。
【００２５】
タッチパネル制御部３２は、タッチパネル１３０に接触していた物体が操作面から離れると、接触時に取得した位置座標を消去する。例えばユーザの指がタッチパネル１３０に接触した状態を維持したまま任意の方向へ移動すると、タッチパネル制御部３２は、移動軌跡の始点と終点の接触位置座標を取得して主制御部３０に伝送する。
【００２６】
タッチパネル制御部３２は、主制御部３０の制御に基づいて、様々な表示制御を行う。例えば、タッチパネル制御部３２は、文書データ又は画像データ等を扱う機能を有するアプリケーションが実行されている場合には、処理対象の文書データ又は画像データに対応する内容を可視情報として表示装置１４０の画面に表示する。
【００２７】
タッチパネル１３０に対する接触入力が行われた場合、タッチパネル１３０にデータを表示する場合、又は通信が行われる場合に、タッチパネル制御部３２はタッチパネル１３０を制御してタッチパネル１３０に接続されているバックライト（不図示）の照明を点灯する。
【００２８】
タッチパネル１３０からの入力が無く、通信も行われずに所定時間が経過すると、タッチパネル制御部３２は、タッチパネル１３０を制御してバックライトの照明を消灯する。更に、タッチパネル制御部３２は、タッチパネル１３０からの入力操作を無効にし、次に入力操作があるまで携帯端末１の機能をスリープ状態にする。
【００２９】
また、タッチパネル制御部３２は、表示装置１４０の動作を制御するための表示制御部として機能してもよい。この場合、タッチパネル制御部３２は、主制御部３０の制御に基づいて、所定のデータを表示装置１４０に表示し、タッチパネル１３０に対する入力操作を受け付ける。
【００３０】
音声制御部３５は、主制御部３０の制御に基づいて、マイクロフォン３４で集音された音声データからアナログ音声信号を生成し、このアナログ音声信号をデジタル音声信号に変換する。音声制御部３５は、デジタル音声信号を取得すると、主制御部３０の制御に基づいて、このデジタル音声信号をアナログ音声信号に変換し、スピーカ３３から音声として出力する。
【００３１】
通信制御部３６は、主制御部３０の制御に基づいて、基地局（不図示）からアンテナ３６Ａを介して受信した受信信号を例えばスペクトラム逆拡散処理してデータを復元する。このデータは、主制御部３０の指示により、音声制御部３５に伝送されてスピーカ３３から出力されたり、タッチパネル制御部３２に伝送されて表示装置１４０に表示されたり、又は記憶部３７に記憶されたりする。
【００３２】
通信制御部３６は、主制御部３０の制御に基づいて、データを取得し、このデータに対して例えばスペクトラム拡散処理を行い、基地局（不図示）に対してアンテナ３６Ａを介して送信する。例えば、通信制御部３６は、マイクロフォン３４で集音された音声データ、タッチパネル１３０を介して入力されたデータ、又は記憶部３７に記憶されたデータを送信する。
【００３３】
記憶部３７は、データの読み出し及び書き込みが自在なメモリ（例えばＲＡＭ：Random Access Memory）により構成されている。記憶部３７の記憶領域は、一時的なデータの格納場所（ワーク領域）として、主制御部３０又は通信制御部３６等により用いられる。
【００３４】
情報記録媒体３８は、データの読み出しが可能なメモリ（例えばＲＯＭ：Read Only Memory）又は大量のデータの格納が可能なハードディスク等により構成されている。情報記録媒体３８の記憶領域は、プログラム又はデータ等を格納するために用いられる。例えば、本実施形態の機能を実現するために必要な制御用プログラム、ユーザが必要とする様々な機能を実現する複数のアプリケーションプログラム又はアプリケーションプログラムにおいて用いられるデータ等が情報記録媒体３８上に保存されている。
【００３５】
主制御部３０は、マイクロコンピュータ（ＣＰＵ：Central Processing Unit）を主体とする電子回路により構成されている。主制御部３０は、携帯端末１の総括的な制御を行うと共に、その他の様々な演算処理又は制御処理等を行う。主制御部３０の機能は各種プロセッサ（ＣＰＵ、ＤＳＰ等）、ＡＳＩＣ（ゲートアレイ等）などのハードウェア、プログラムにより実現できる。主制御部３０は、情報記録媒体３８に保存されるプログラム（データ）に基づいて本実施形態の様々な処理を実現する。
【００３６】
例えば、ユーザがタッチパネル１３０への接触操作により任意のアプリケーションの起動を指示すると、この入力に従って主制御部３０は指示されたアプリケーションを起動する。また、主制御部３０はタッチパネル１３０に対するユーザの接触操作の情報をタッチパネル制御部３２から取得し、起動したアプリケーションに与える。
【００３７】
＜機能上の構成例＞
図１に示す携帯端末１の機能上の主要な構成要素が図３の点線内に示されている。図３に示すように、携帯端末１は、接点取得部１０１、コンテンツ登録部１１０、フォルダ管理部としてのコンテンツ本体保存部１２１、接点位置記憶部としてのロック解除属性保存部１２２、及び表示制御部としてのコンテンツ表示制御部１５０を含む構成である。
【００３８】
コンテンツ登録部１１０は、コンテンツ本体登録部１１１及びロック解除属性登録部１１２を含む構成である。コンテンツ表示制御部１５０は、コンテンツ本体表示部１５１及びロック解除属性判定部１５２を含む構成である。
【００３９】
なお、図３に示す接点取得部１０１、コンテンツ登録部１１０及びコンテンツ表示制御部１５０の各機能は、図２に示す主制御部３０及びタッチパネル制御部３２の処理により実現される。また、図３に示すコンテンツ本体保存部１２１及びロック解除属性保存部１２２は、図２に示す記憶部３７又は情報記録媒体３８上の記憶領域として実現される。
【００４０】
なお、図３に示すコンテンツ本体保存部１２１は、操作の際にユーザ認証を必要とする任意の秘匿コンテンツを保存する領域をフォルダとして管理するフォルダ管理部である。
【００４１】
また、ロック解除属性保存部１２２は、秘匿コンテンツのユーザ認証に関連する少なくとも１つの認証位置情報を、タッチパネル１３０上の位置に対応付けて保存する接点位置記憶部である。
【００４２】
また、コンテンツ表示制御部１５０は、フォルダを選択するための初回接触位置をタッチパネル１３０の接触検知により検出した後、接触状態が維持されたまま接触位置がタッチパネル１３０上を移動した場合に、接触位置と認証位置情報との比較によりユーザ認証を行い、ユーザ認証が成功した場合には、少なくとも対応する秘匿コンテンツを表示する表示制御部である。
【００４３】
図３に示す携帯端末１は、ユーザが操作可能な様々な処理対象オブジェクト（即ちユーザ情報）の画面へ表示する機能を有している。ここで、処理対象オブジェクトの代表例として、次のようなものを想定している。
【００４４】
１．テキストデータとして構成される文章等のコンテンツ
２．写真データのような静止画像のコンテンツ
３．動画像のコンテンツ
４．上記複数種類のデータを組み合わせたコンテンツ
５．個人情報
発着信履歴データ
送受信履歴データ
電子メールの送受信文章データ
６．様々なデータの保存領域を表す表示可能なフォルダ或いはゴミ箱
７．様々な機能に対応付けられた表示可能なアイコンのようなユーザインタフェースオブジェクト
８．様々な機能を有する次に列記するような各機能を実現するアプリケーション自体、或いはアプリケーションが扱うデータ
ブラウザ（ブックマーク、画面メモ、閲覧履歴などを含む）
アドレスブック
連絡先リスト
電子メール
インスタントメッセージング
ワードプロセッシング
キーボードエミュレーション
ウィジェット
ＪＡＶＡ（登録商標）使用可能アプリケーション
暗号化
デジタル権利の管理
音声認識
音声複製
位置特定機能（ＧＰＳ等）
音楽プレイヤ（ＭＰ３又はＡＡＣファイルなどを含む）
【００４５】
上記のように、様々な種類の処理対象オブジェクトをユーザ情報として扱うことが可能であるが、便宜上、これらの代表例として図３においては「コンテンツ」として記載してある。これ以降の説明の「コンテンツ」についても、上記のような様々な種類の処理対象オブジェクトに適用できる。
【００４６】
コンテンツ本体保存部１２１は、例えばユーザが撮影した写真のデータファイル等、コンテンツのデータを保存している。本実施形態の携帯端末１は、コンテンツ本体保存部１２１に保存するデータに対し、ユーザの個人情報等の秘匿コンテンツへのアクセスを禁止するために、アクセスのロックをかけることができる。
【００４７】
ロック解除属性保存部１２２は、コンテンツ本体保存部１２１内に保存されているデータのアクセスのロックを解除するために用いるロック解除属性のデータを、対応するコンテンツのデータと関連付けた状態で保存している。
【００４８】
コンテンツ本体登録部１１１は、必要に応じて自動的に、或いはユーザの入力操作に従って、所望のコンテンツのデータをコンテンツ本体保存部１２１に登録するための処理を行う。
【００４９】
ロック解除属性登録部１１２は、コンテンツを登録する際に、又は既に登録されているコンテンツのデータに対し、ロック解除属性のデータをロック解除属性保存部１２２に登録するための処理を行う。
【００５０】
コンテンツ本体表示部１５１は、必要に応じて自動的に、或いはユーザの入力操作に従って、所望のコンテンツのデータをコンテンツ本体保存部１２１から取得し、表示装置１４０に出力するための処理を行う。なお、コンテンツ表示制御部１５０及び接点取得部１０１は、図２のタッチパネル制御部３２に相当する。
【００５１】
ロック解除属性判定部１５２は、コンテンツ本体表示部１５１がコンテンツ本体保存部１２１内に保存されているコンテンツのデータにアクセスする際に、アクセスのロックの有無を識別すると共に、ロック解除属性のデータを判定する。ロックされたコンテンツのデータに対しては、ロック解除属性判定部１５２がロック解除属性保存部１２２内に保存されているロック解除属性のデータを参照し、ユーザの入力操作と比較してユーザ認証を行う。ユーザ認証が成功すると、ロック解除属性判定部１５２は、コンテンツ本体表示部１５１のアクセスを許可する。
【００５２】
接点取得部１０１は、ロック解除属性登録部１１２がロック解除属性のデータの登録処理を行う際に、接点の位置情報を取得する。即ち、接点取得部１０１は、タッチパネル１３０に対してユーザが指等で接触操作した場合に、タッチパネル１３０の接点の位置情報を把握する。
【００５３】
また、ロック解除属性判定部１５２がロックを解除するためのユーザ認証を行う際にも、接点取得部１０１がタッチパネル１３０から接点の位置情報を取得する。接点の位置情報とは、タッチパネル１３０の操作面と平行な互いに直交する２つの軸（Ｘ／Ｙ）方向の位置を表す位置座標であり、ユーザから見て表示画面の横方向及び縦方向の位置を表す。
【００５４】
＜ユーザの操作に関する説明＞
＜ロック解除操作＞
ロック解除操作の場合の具体的な画面遷移例が図４に示されている。即ち、ロックされた秘匿コンテンツの表示等を可能にするために、例えば図４に示すような画面（表示装置１４０の表示内容）を見ながらユーザがロック状態を解除するためのユーザ認証の入力操作を実行する。
【００５５】
図４に示す画面５０Ａにおいては、フォルダ一覧ウインドウ５１の中に５つのオブジェクト５１ａ，５１ｂ，５１ｃ，５１ｄ，５１ｅが表示されている。これらのオブジェクト５１ａ〜５１ｅは、それぞれ５つの異なるフォルダを表している。
【００５６】
例えば、フォルダＦ１を表すオブジェクト５１ａは、これに対応付けられたコンテンツ本体保存部１２１のある記憶領域を表している。また、このフォルダＦ１自身を画面上に表示するためのアイコンもオブジェクト５１ａに含まれている。この記憶領域の中には、例えばユーザが撮影した写真のデータファイルなどの任意のコンテンツを必要に応じてユーザが保存することができる。他のフォルダＦ２〜フォルダＦ５も同様である。
【００５７】
図４に示す例では、画面５０Ｄに示されているように、コンテンツ５３Ａ，５３Ｂ，５３Ｃ，５３Ｄ，５３Ｅ，５３ＦがフォルダＦ２の中に保存されている場合を想定している。また、コンテンツ５３Ａ〜５３Ｆの中で、５３Ａ，５３Ｂ，５３Ｄ，５３Ｆは秘匿情報を含まない通常コンテンツであり、５３Ｃ，５３Ｅは秘匿情報を含む秘匿コンテンツである。
【００５８】
つまり、通常コンテンツであるコンテンツ５３Ａ，５３Ｂ，５３Ｄ，５３Ｆにアクセスする場合はユーザ認証が不要であるが、秘匿コンテンツ５３Ｃ，５３Ｅにアクセスするためにはユーザ認証を行って、秘匿コンテンツ５３Ｃ，５３Ｅへのアクセスのロックを解除する必要がある。
【００５９】
図４に示す例では、画面５０Ａが表示されている状態で、ユーザがフォルダＦ２を選択し、その後、画面５０Ｂに示すスライド操作（後述参照）をユーザが行ってユーザ認証を行う場合を想定している。また、そのユーザ認証の結果として、画面５０Ｃ又は５０Ｄが表示される。
【００６０】
本実施形態においては、画面５０Ｂに示すように、矩形形状の画面５０Ｂの４つの角部に、点線で表したように４つのロック解除判定エリアの領域５４Ａ，５４Ｂ，５４Ｃ，５４Ｄが設けられている。なお、これらのロック解除判定エリアの領域５４Ａ〜５４Ｄは実際には画面に特別な領域として表示されることはなく、ユーザは、視覚的にこれらのロック解除判定エリアの領域５４Ａ〜５４Ｄの領域とそれ以外の領域とを区別することはできない。ロック解除判定エリアの領域５４Ａ〜５４Ｄは、それぞれ画面の角部を含む箇所に小さい矩形形状の領域として形成されている。
【００６１】
詳細については後述するが、ロック解除、即ちユーザ認証のために用いる情報（ロック解除属性のデータ）は、図４の画面５０Ｂ中に示したロック解除判定エリアの領域５４Ａ〜５４Ｄに相当する位置及びその組み合わせを表す情報として登録される。
【００６２】
例えば、４つのロック解除判定エリアの領域５４Ａ→５４Ｂ→５４Ｃ→５４Ｄを順番に通過するように移動するパターンを、ロック解除属性のデータとして登録することができる。その場合、画面５０Ｂ中に点線で示す移動軌跡５５のように、ユーザが指等を接触したままタッチパネル１３０上を移動（スライド操作）することによりユーザ認証をおこなう。つまり、ユーザがフォルダＦ２の箇所に指等を接触した後、接触状態を維持したまま、タッチパネル１３０上で４つのロック解除判定エリアの領域５４Ａ→５４Ｂ→５４Ｃ→５４Ｄを順番に通過するように移動（スライド操作）して、最後に指を操作面から離す（リリースする）。これがロック解除、即ちユーザ認証のための入力操作である。
【００６３】
上記のようなユーザの入力操作によって正しくユーザ認証できた場合は、画面５０Ｄが表示される。また、ユーザ認証に失敗した場合、又はユーザ認証のためのスライド操作をユーザが行わなかった場合は画面５０Ｃが表示される。
【００６４】
図４に示す画面５０Ｄにおいては、前述のフォルダＦ２に含まれている６個のコンテンツ５３Ａ，５３Ｂ，５３Ｃ，５３Ｄ，５３Ｅ，５３Ｆの全てがコンテンツ一覧ウインドウ５２Ｂの中に表示されている。つまり、通常のコンテンツだけでなく、秘匿情報を含む秘匿コンテンツ５３Ｃ，５３Ｆが表示される。なお、コンテンツ一覧ウインドウ５２Ｂの中に表示される各コンテンツ５３Ａ〜５３Ｆについては、対応する特別な可視パターンを表すアイコン、或いはコンテンツ内容のプレビューとして表示される。
【００６５】
一方、画面５０Ｃにおいては、前述のフォルダＦ２に含まれている６個のコンテンツ５３Ａ〜５３Ｆの中で、通常のコンテンツである４つのコンテンツ５３Ａ，５３Ｂ，５３Ｄ，５３Ｆのみがコンテンツ一覧ウインドウ５２Ａの中に表示されている。つまり、ユーザ認証に失敗した場合、又はユーザ認証のためのスライド操作をユーザが行わなかった場合には、秘匿コンテンツ５３Ｃ，５３Ｅの画面への表示は禁止される。よって、正規ユーザ以外の第三者がフォルダＦ２を選択する操作をおこなった場合には、通常のコンテンツのみが表示されるため、秘匿コンテンツが端末上に存在することを第三者に悟られない。
【００６６】
＜ロック解除属性のデータの登録操作＞
ロック解除用のロック解除属性のデータを登録する場合の具体的な画面遷移例が図５に示されている。例えば、秘匿コンテンツをユーザが保存しようとする際に、この秘匿コンテンツが携帯端末１に存在することを第三者に悟られないようにロックしたい場合に図５に示す画面を用いてユーザが入力操作する。
【００６７】
コンテンツを保存するための画面６０Ａ（画面例は省略）を表示している状態で、ユーザが所定の操作を行うと次の画面６０Ｂを表示する状態に遷移する。画面６０Ｂにおいて、ユーザは保存対象のコンテンツに対するロック解除属性のデータの登録の有無に関する選択を行うことができる。この画面６０Ｂ上でユーザがＹＥＳボタン６１Ａを選択すると画面６０Ｃへ遷移し、ＮＯボタン６１Ｂを選択すると画面６０Ｅへ遷移する。
【００６８】
画面６０Ｂ上でユーザがＹＥＳボタン６１Ａを選択したとき、つまり、ユーザがロック解除属性のデータの登録を指示した時に、ロック解除属性登録部１１２が指示に従って登録に必要な処理を開始し、最初に画面６０Ｃを表示する。画面６０Ｃを表示している状態において、ユーザは認証用接点パターン（後述参照）におけるロック解除判定エリアの通過回数の値を入力することができる。この通過回数は、図４の画面５０Ｂでユーザ認証のための入力操作をおこなう際にロック解除判定エリアの領域５４Ａ〜５４Ｄを通過する回数に相当する。
【００６９】
ここで、ロック解除属性登録部１１２はユーザの入力操作によって入力されたロック解除判定エリアの通過回数を取得し、次の画面６０Ｄを表示して、認証用接点パターンの入力を受け付ける。また、画面６０Ｄを表示している状態において、画面６０Ｄの４つの角部に、小さい矩形の領域６３Ａ，６３Ｂ，６３Ｃ，６３Ｄをロック解除判定エリアとしてロック解除属性登録部１１２が割り当てる。
【００７０】
これらの領域６３Ａ〜６３Ｄは、図４の画面５０Ｂに示す４つのロック解除判定エリアの領域５４Ａ〜５４Ｄと同じ位置に、同じ大きさで割り当てられる。なお、画面６０Ｄ上の領域６３Ａ〜６３Ｄについては、正規のユーザがロック解除判定エリアの範囲を視認できるように画面上に表示しても良いし、非表示にしても良い。
【００７１】
画面６０Ｄを表示している状態において、ユーザは所望の認証用接点パターンを入力することができ、この入力をロック解除属性登録部１１２が受け付ける。例えば、ユーザが領域６３Ａの範囲内を指等でタッチし、接触状態を維持したまま指等を領域６３Ｂに移動し、更に領域６３Ｃ、領域６３Ｄに順次に移動し、その後で指等を操作面から離す。これにより、４つの領域６３Ａ→６３Ｂ→６３Ｃ→６３Ｄの順番に合計４回通過する認証用接点パターンが生成される。領域６３Ａ〜６３Ｄを通過する順序については、ユーザの意志により自由に決めることができる。また、画面６０Ｃで任意の通過回数の値を入力することにより、任意の通過回数を設定することも可能である。
【００７２】
画面６０Ｄで認証用接点パターンの入力が完了すると、図５の画面６０Ｆが表示され、保存対象のコンテンツは秘匿コンテンツとして登録される。即ち、コンテンツ本体登録部１１１が保存対象のコンテンツをコンテンツ本体保存部１２１に保存すると同時に、ロック解除属性登録部１１２は画面６０Ｄで入力された認証用接点パターンを、ロック解除属性のデータとして同コンテンツに対応付けた状態でロック解除属性保存部１２２に保存する。
【００７３】
画面６０ＢでユーザがＮＯボタン６１Ｂを選択した場合、図５の画面６０Ｅが表示され、保存対象のコンテンツは通常コンテンツとして登録される。この場合、コンテンツ本体登録部１１１は、保存対象のコンテンツにロック解除属性のデータを付加することなく、コンテンツ本体保存部１２１に保存する。
【００７４】
＜認証用接点パターンのデータの具体例＞
＜構成例（１）＞
認証用接点パターンのデータの構成例（１）が図６に示されている。図６に示した例では、３種類の認証用接点パターンＰＡ１，ＰＡ２，ＰＡ３のデータが登録されている。これらの各認証用接点パターンのデータは、ロック解除判定エリアの通過回数の値と、その通過順序を表す接点位置Ｐ０１，Ｐ０２，Ｐ０３，Ｐ０４とで構成されている。
【００７５】
例えば、図５に示す画面６０Ｄにおいて、ユーザが、４つの領域６３Ａ→６３Ｂ→６３Ｃ→６３Ｄを順番に通過するように接触した指等を移動すると、認証用接点パターンＰＡ１のデータが生成される。
【００７６】
認証用接点パターンＰＡ１のデータは、通過回数の値が４であり、接点位置Ｐ０１，Ｐ０２，Ｐ０３，Ｐ０４が、それぞれＡ２，Ａ１，Ａ３，Ａ４になっている。この認証用接点パターンＰＡ１のデータは、４カ所のロック解除判定エリアを位置Ａ２→Ａ１→Ａ３→Ａ４を順番に通過することを意味している。ここで、位置Ａ２，Ａ１，Ａ３，Ａ４は、それぞれ図５の画面６０Ｄにおけるロック解除判定エリアの各領域６３Ａ，６３Ｂ，６３Ｃ，６３Ｄに対応している。
【００７７】
また、認証用接点パターンＰＡ２のデータは、通過回数の値が３であり、接点位置Ｐ０１，Ｐ０２，Ｐ０３，Ｐ０４が、それぞれＡ４，Ａ２，Ａ３，指定なし（無効なデータ）になっている。これは３カ所のロック解除判定エリアを位置Ａ４→Ａ２→Ａ３の順番に通過することを意味している。
【００７８】
同様に、認証用接点パターンＰＡ３のデータは、通過回数の値が３であり、接点位置Ｐ０１，Ｐ０２，Ｐ０３，Ｐ０４が、それぞれＡ１，Ａ３，Ａ４，指定なしになっている。
【００７９】
つまり、図５に示す画面を用いてユーザが入力操作を行うことにより、ユーザが希望する任意の認証用接点パターンのデータを図６のように生成することができる。この認証用接点パターンのデータは、図３に示すロック解除属性登録部１１２がユーザの入力操作を読み取って認証用接点パターンのデータを生成し、これをロック解除属性保存部１２２に保存する。
【００８０】
＜構成例（２）＞
認証用接点パターンデータの構成例（２）が図７に示されている。図７に示した例では、２種類の認証用接点パターンＰＡ１，ＰＡ２が登録されている。
【００８１】
これらの各認証用接点パターンのデータは、ロック解除判定エリアの通過回数の値と、その通過順序を表す接点位置Ｐ０１，Ｐ０２，Ｐ０３，Ｐ０４とで構成されている。また、それぞれの接点位置の通過回数の値が割り当てられている。
【００８２】
例えば、全通過回数として７を選択した後、図５に示す画面６０Ｄにおいて、ユーザが例えば次のように指の位置を移動すると、図７の認証用接点パターンＰＡ１のデータを生成することができる。
【００８３】
領域６３Ａ→（領域６３Ａの領域外）→領域６３Ａ：（位置Ａ２を２回通過）
→領域６３Ｂ：（位置Ａ１を１回通過）
→領域６３Ｃ→（領域６３Ａの領域外）→領域６３Ｃ→（領域６３Ｃの領域外）→領域６３Ｃ：（位置Ａ３を３回通過）
→領域６３Ｄ：（位置Ａ４を１回通過）
→リリース：４つの領域全体において合計７回通過する
【００８４】
この操作により、図７の認証用接点パターンＰＡ１のデータが生成される。つまり、順番に、接点位置Ｐ０１（領域６３Ａ）を２回通過、接点位置Ｐ０２（領域６３Ｂ）を１回通過、接点位置Ｐ０３（領域６３Ｃ）を３回通過、接点位置Ｐ０４（領域６３Ｄ）を１回通過した後にリリースすることを意味するデータである。
【００８５】
同様の操作により、図７に示す認証用接点パターンＰＡ２のデータも生成できる。図７の認証用接点パターンＰＡ２の場合には、全通過回数の値が５であり、接点位置Ｐ０１，Ｐ０２，Ｐ０３，Ｐ０４が、それぞれＡ４：１回，Ａ２：２回，Ａ３：２回，指定なし（無効なデータ）になっている。つまり、順番に、接点位置Ｐ０１（領域６３Ｄ）を１回通過、接点位置Ｐ０２（領域６３Ｂ）を２回通過、接点位置Ｐ０３（領域６３Ｃ）を２回通過した後にリリースすることを意味するデータになる。
【００８６】
＜登録されるコンテンツのデータの具体例＞
各コンテンツとそれに割り当てられるロック解除属性との関連を表すデータテーブルの構成例が図８に示されている。即ち、図５に示す画面に対してユーザが所定の入力操作を行うことにより、コンテンツを登録することができる。この登録の際に、コンテンツの管理を容易にするために、コンテンツ登録部１１０が図８に示すデータテーブルを作成する。
【００８７】
図８に示すデータテーブルは、登録されたコンテンツ毎に、３種類のデータＤ１１，Ｄ１２，Ｄ１３を互いに関連付けて保持している。データＤ１１は対応するコンテンツを特定する情報であり、データＤ１２は認証用接点パターンのデータを表す情報であり、データＤ１３は秘匿属性の有無を表す情報である。
【００８８】
図８において認証用接点パターンのデータＤ１２の内容は、例えば図６に示す認証用接点パターンＰＡ１，ＰＡ２，ＰＡ３のうちいずれかと対応付けることができる。また、秘匿コンテンツを登録する場合には、この秘匿コンテンツを保護するために秘匿属性を表すデータＤ１３をＹＥＳに設定する。保護する必要のない通常コンテンツについては、秘匿属性を表すデータＤ１３をＮＯに設定する。
【００８９】
例えば、秘匿対象の秘匿コンテンツＡを登録する際に、図３に示す各画面６０Ａ，６０Ｂ，６０Ｃ，６０Ｄでユーザが所定の入力操作を行うと、この秘匿コンテンツＡについて、図８に示すデータＤ１１，Ｄ１２，Ｄ１３の１組がこのテーブル上に登録される。このテーブルは、ロック解除属性保存部１２２に保存される。
【００９０】
例えば、図８に示す秘匿コンテンツＡにアクセスする場合には、秘匿属性がＹＥＳであるためユーザ認証が必要である。ユーザ認証の際には、図４に示す画面６０Ｂに対するユーザの入力操作（ロック解除操作）の内容と、テーブル上のデータＤ１２に登録されている認証用接点パターン（例えば図６のＰＡ１）とをロック解除属性判定部１５２が比較してロック解除判定をおこなう。
【００９１】
＜携帯端末１の動作＞
＜ロック解除判定＞
ロック解除判定に関する動作が図９に示されている。この動作は、コンテンツ表示制御部１５０及び接点取得部１０１が実行する。
【００９２】
例えば、図８に示すデータテーブル上で「秘匿属性：ＹＥＳ」が割り当てられた秘匿コンテンツを含むフォルダの内容を図４に示す画面５０Ｄのように表示する場合には、秘匿コンテンツのロックを解除するために図９の動作を実行する。なお、図９の動作は、操作対象のオブジェクト（フォルダ）に対するユーザの入力操作によって、通常コンテンツ又は通常コンテンツ及び秘匿コンテンツを保存しているフォルダの内容を表示する場合を想定した携帯端末１における動作である。但し、図９は、フォルダ以外のオブジェクトを操作する場合にも同様の動作を適用できる。
【００９３】
ステップＳ１０１では、ユーザの入力操作によるフォルダのタッチを接点取得部１０１（タッチパネル制御部３２）が検出する。即ち、接点取得部１０１が、フォルダのオブジェクトが表示されている位置に対してユーザの指等が接触したことを検出する。
【００９４】
ステップＳ１０２では、ステップＳ１０１でタッチを検出したフォルダの中に、「秘匿属性：ＹＥＳ」のコンテンツ、つまり秘匿コンテンツが含まれているか否かをコンテンツ表示制御部１５０が識別する。含まれている場合はステップＳ１０３に進み、含まれてなければステップＳ１０８に進む。
【００９５】
ステップＳ１０３では、ステップＳ１０１でタッチを検出してからリリース状態（操作面から指が離れた状態）を検出するまでの間に、接触を検出している位置座標が認証用エリアを通過したか否かをロック解除属性判定部１５２が識別する。認証用エリアとは、予め決められた画面上の領域であり、図４に示す４つのロック解除判定エリアの領域５４Ａ，５４Ｂ，５４Ｃ，５４Ｄのそれぞれに相当する。
【００９６】
例えば、図４の画面５０Ｂを表示している状態で、ユーザがフォルダＦ２のオブジェクトの位置を指でタッチし、タッチ状態を維持したまま移動してからリリースした場合に、タッチ位置がリリース前に領域５４Ａ〜５４Ｄの各範囲内を通過したか否かを識別する。
【００９７】
少なくとも１つの認証用エリアの通過を検出した場合にはステップＳ１０３Ｂに進み、通過する前にリリースを検出した場合はステップＳ１０８に進む。
【００９８】
ステップＳ１０３Ｂでは、ロック解除属性判定部１５２は、ステップＳ１０１でタッチを検出してからリリース状態を検出するまでの経過時間の長さを予め定められた所定時間と比較する。所定時間以内であればステップＳ１０４に進み、所定時間を超えた場合はタイムアウトとみなしてステップＳ１０８に進む。なお、ステップＳ１０３Ｂの処理は省略しても良い。
【００９９】
ステップＳ１０４では、ロック解除属性判定部１５２がフォルダ選択用接点（初回接点）位置の情報と、認証用エリアの通過順序の情報とを接点取得部１０１から取得する。フォルダ選択用接点とは、ステップＳ１０１で最初にタッチを検出した時の位置であり、例えば図４の画面５０Ｂでタッチにより選択されたフォルダＦ２のオブジェクトの位置（Ｐ００１）を意味する。認証用エリアの通過順序の情報とは、最初にタッチを検出した位置からリリースを検出するまでの間のタッチ位置の移動軌跡５５が、認証用エリア（の領域５４Ａ〜５４Ｄのそれぞれの範囲内）を通過した順番を表す。
【０１００】
例えば、ユーザが一筆書きの要領で、フォルダＦ１の位置Ｐ００１から、４カ所の認証用エリア（領域５４Ａ〜５４Ｄ）を順番になぞるようにタッチした指をタッチパネル１３０上で移動した場合には、次のような情報が通過順序として得られる。
【０１０１】
具体的には、
１番目の通過位置：ロック解除判定エリアの領域５４Ａに対応する情報
２番目の通過位置：ロック解除判定エリアの領域５４Ｂに対応する情報
３番目の通過位置：ロック解除判定エリアの領域５４Ｃに対応する情報、及び
４番目の通過位置：ロック解除判定エリアの領域５４Ｄに対応する情報である。
【０１０２】
ステップＳ１０５では、ロック解除属性判定部１５２がユーザ認証のための比較処理を行う。具体的には、ステップＳ１０１のタッチにより選択されたフォルダの中に含まれている各コンテンツが「秘匿属性：ＹＥＳ」である場合に、各コンテンツに登録されている認証用接点パターンの内容と、ステップＳ１０４で取得した通過順序とを比較する。
【０１０３】
選択されたフォルダの中に１つ又は複数の秘匿コンテンツが存在し、且つ比較の結果としていずれかの秘匿コンテンツの認証用接点パターンと一致、すなわちユーザ認証の成功を検出した場合はステップＳ１０６に進む。フォルダ内に通常コンテンツのみが存在する場合、又は比較結果がどの秘匿コンテンツの認証用接点パターンの内容とも一致しなかった場合はステップＳ１０８に進む。
【０１０４】
ステップＳ１０６では、ユーザ認証の結果に従ってロック解除属性判定部１５２が対応する秘匿コンテンツの存在を表す画面表示（例えば対応する秘匿コンテンツのファイルのアイコン又は名称の表示）を可能にする。これにより、コンテンツ本体表示部１５１は、選択されたフォルダの中に含まれている通常コンテンツと、秘匿コンテンツの両方を表示装置１４０の画面上に表示することができる。従って、例えば図４に示した画面５０Ｄのような内容がコンテンツ一覧として表示される。
【０１０５】
また、図４に示す画面５０Ｄにおいては、秘匿コンテンツ５３Ｃ及び秘匿コンテンツ５３Ｅに同じ認証用接点パターンを割り当てた場合を想定しているが、秘匿コンテンツ毎に独立した認証用接点パターンを割り当てることもできる。その場合は、ステップＳ１０５で一致が検出されたコンテンツ以外の秘匿コンテンツは画面に表示しない。
【０１０６】
ステップＳ１０７では、ロック解除属性判定部１５２がステップＳ１０５におけるユーザ認証の結果に従って、携帯端末１のロックを解除する。即ち、例えばユーザ認証に成功した秘匿コンテンツが動画である場合には、携帯端末１は、携帯端末１にインストールされているアプリケーションがその動画の内容にアクセスしてそれを再生するための動作を許容する状態に切り替える（ロックの解除）。
【０１０７】
なお、ステップＳ１０７では秘匿コンテンツに対する認証結果により、現在の使用者が携帯端末１の所有者本人であることが明らかである。従って、ここで秘匿コンテンツへのアクセス許可と同時に、秘匿コンテンツ以外の機能に関するロックを同時に解除しても良い。
【０１０８】
例えば、この携帯端末１上に存在するアドレス帳の閲覧機能、メモ帳の閲覧機能、有料サービスへのアクセス機能などを実現する各アプリケーションの動作について、同時に使用制限（ロック）を解除して動作させるように制御しても良い。また、ステップＳ１０６とステップＳ１０７とは別々の動作として説明しているが、一つのステップとして統合してもよい。
【０１０９】
ステップＳ１０８では、コンテンツ本体表示部１５１は、選択されたフォルダの中に含まれている通常コンテンツのみを表示装置１４０の画面上に表示する。従って、例えば図４に示した画面５０Ｃのような内容がコンテンツ一覧として表示される。
【０１１０】
＜認証用接点パターンの登録＞
コンテンツの認証用接点パターンのデータを登録する場合の動作が図１０に示されている。この動作は、コンテンツ登録部１１０が実行する。すなわち、図５に示す画面に対してユーザが行う登録操作に従って、コンテンツ登録部１１０はコンテンツのデータをコンテンツ本体保存部１２１に登録（保存）する。
【０１１１】
ステップＳ１５０１で、コンテンツの保存の指示を検出すると、ロック解除属性登録部１１２は、ユーザの入力操作に応じて、ステップＳ１５０３で秘匿コンテンツ確認設定のＯＮ又はＯＦＦを確認する。秘匿コンテンツ確認設定がなされている場合（ＯＮの場合）にはステップＳ１５０５に進み、秘匿コンテンツ確認設定がなされていない場合（ＯＦＦの場合）にはステップＳ１５１１へ進む。
【０１１２】
ステップＳ１５０５で、ロック解除属性登録部１１２が、コンテンツに秘匿属性を設定するか否かを識別する。ロック解除属性登録部１１２がコンテンツの秘匿属性をＹＥＳに設定すると（ＹＥＳの場合）、ステップＳ１５０６に遷移し、ロック解除属性登録部１１２がコンテンツの秘匿属性をＮＯに設定すると（ＮＯの場合）、ステップＳ１５１１に遷移する。
【０１１３】
例えば、図５の画面６０ＢでユーザがＹＥＳボタン６１Ａを選択すると、次のステップＳ１５０６に進む。ステップＳ１５０６では、ロック解除属性登録部１１２は、例えば、図５の画面６０Ｃを表示して、認証用接点パターンの通過回数の選択のためのユーザ入力を受け付ける。
【０１１４】
ステップＳ１５０７では、ロック解除属性登録部１１２は、選択した秘匿コンテンツのための認証用接点パターンのユーザ入力を受け付ける。例えば、図５の画面６０Ｄを表示し、ユーザのタッチ入力による座標の移動軌跡の各位置と画面角部の領域６３Ａ，６３Ｂ，６３Ｃ，６３Ｄの位置とを比較し、領域６３Ａ〜６３Ｄの各範囲内を通過した順序の情報を取得する。
【０１１５】
例えば、４つの領域６３Ａ→６３Ｂ→６３Ｃ→６３Ｄを順番に通過するようにタッチ位置が移動した場合には、図６に示した認証用接点パターンＰＡ１に対応するデータがステップＳ１５０７で得られる。
【０１１６】
ステップＳ１５０９では、ロック解除属性登録部１１２は、コンテンツ本体保存部１２１に登録する秘匿コンテンツに関連付けて、ステップＳ１５０７で得られた認証用接点パターンのデータをロック解除属性保存部１２２に保存する。
【０１１７】
ステップＳ１５０９の実行により、１つの秘匿コンテンツに対して、例えば図８に示す１組のデータＤ１１，Ｄ１２，Ｄ１３がロック解除属性保存部１２２のデータテーブル上に登録される。また、認証用接点パターンを表すデータＤ１２の実体については、図６に示すＰＡ１，ＰＡ２，ＰＡ３のようなパターンデータとして保存される。
【０１１８】
ステップＳ１５１１では、コンテンツ本体登録部１１１が、ステップＳ１５０１で選択されたコンテンツの本体を、コンテンツ本体保存部１２１に保存する。ここで、ロック解除属性登録部１１２は、保存するコンテンツと生成したロック解除属性とを関連付ける。つまり、図８に示すテーブルのように、保存する秘匿コンテンツと、認証用接点パターンのデータと、秘匿属性の有無に関する情報とを関連付けて管理する。また、ロック解除属性登録部１１２は、秘匿コンテンツの識別情報（例えばファイルＩＤ、ファイル名）と、認証用接点パターンのデータと、秘匿属性の有無に関する情報とを関連付けて管理してもよい。
【０１１９】
＜変形例：フォルダの秘匿属性を管理する場合＞
＜利用するデータの構成例＞
各フォルダと各フォルダに割り当てられる認証用接点パターンのデータとの関連を表すデータテーブルの構成例が図１１に示されている。即ち、携帯端末１が互いに独立した複数のフォルダを保存している場合には、携帯端末１は、フォルダ自体の隠蔽を可能にするために、各フォルダに秘匿属性を割り当てて管理する。この管理の際に、図１１に示すようなデータテーブルを用いる。
【０１２０】
図１１に示すデータテーブルは、登録されたフォルダ毎に、３種類のデータＤ２１，Ｄ２２，Ｄ２３を互いに関連付けて保存している。データＤ２１は対応するフォルダを特定する情報であり、データＤ２２は認証用接点パターンのデータを表す情報であり、データＤ２３は秘匿属性の有無を表す情報である。
【０１２１】
図１１において認証用接点パターンを表すデータＤ２２の内容は、例えば図６に示す認証用接点パターンＰＡ１，ＰＡ２，ＰＡ３のうちいずれかと対応付けることができる。また、特定のフォルダの中に隠蔽すべき任意のコンテンツを格納する場合には、このコンテンツを保護するために対応する秘匿フォルダの秘匿属性を表すデータＤ２３をＹＥＳに設定する。保護する必要のないコンテンツを格納する通常フォルダについては、秘匿属性を表すデータＤ２３をＮＯに設定する。
【０１２２】
例えば、秘匿対象として秘匿フォルダＡの属性を登録する際に、ユーザが所定の入力操作を行うと、この秘匿フォルダＡについて、図１１に示すデータＤ２１，Ｄ２２，Ｄ２３の１組がこのデータテーブル上に登録される。このデータテーブルは、ロック解除属性保存部１２２に保存される。
【０１２３】
例えば、図１１に示す秘匿フォルダＡにアクセスする場合には、秘匿属性がＹＥＳであるためユーザ認証が必要である。ユーザ認証の際には、ユーザの入力操作の内容と、データテーブル上のデータＤ２２に登録されている認証用接点パターン（例えば図６のＰＡ１）とをロック解除属性判定部１５２が比較する。
【０１２４】
＜携帯端末１の動作：ロック解除判定＞
フォルダ一覧表示に関する動作が図１２に示されている。また、図１２に示した動作を行う場合の具体的な画面遷移例が図１３に示されている。この動作は、図３のコンテンツ表示制御部１５０及び接点取得部１０１が実行する。
【０１２５】
＜前提の説明＞
図１３に示す表示例においては、携帯端末１上にユーザが操作可能なオブジェクトとして、画面７０Ｃ中に示す５つのフォルダが存在している場合を想定している。また、これらを管理するために図１１に示すデータテーブルが保存されている場合を想定している。５つのフォルダのそれぞれは、任意のオブジェクト（例えばコンテンツなどのデータファイル）を格納可能な独立した領域を表している。なお、フォルダ自体もオブジェクトとして扱うことができる。
【０１２６】
ユーザがフォルダ一覧のアイコン７１ａを操作して携帯端末１に保存されているフォルダの一覧を画面に表示しようとする場合に、表示対象の１つ又は複数のフォルダに事前に秘匿属性が割り当てられている。秘匿属性を有する秘匿フォルダ（７４Ａ，７４Ｂ，７４Ｃ）を表示する場合にユーザ認証を行うことにより、隠蔽すべき秘匿フォルダ（７４Ａ，７４Ｂ，７４Ｃ）の存在を第三者に対して隠すことができる。そのために、図１２に示すような制御を行う。
【０１２７】
なお、秘匿フォルダ（７４Ａ，７４Ｂ，７４Ｃ）についてユーザ認証を行う場合に用いる認証用接点パターン（図１１のデータＤ３２）については、前述の秘匿コンテンツを管理する場合と同様の制御（図１０の内容）によりユーザが所望のパターンを登録することができる。
【０１２８】
＜フローチャートの説明＞
ステップＳ１２１では、ユーザの入力操作によるフォルダ一覧機能のアイコンのタッチを接点取得部１０１（タッチパネル制御部３２）が検出する。例えば、図１３において、画面７０Ａ中に表示されているフォルダ一覧のアイコン７１ａには、フォルダ一覧の表示機能が割り当てられている。つまり、アイコン７１をタッチすることにより、フォルダ一覧の表示機能を実行するアプリケーションを起動することができる。このアイコン７１に対するタッチ操作を、ステップＳ１２１で接点取得部１０１（タッチパネル制御部３２）が検出する。
【０１２９】
図１２のステップＳ１２２以降の動作は、ステップＳ１２１で起動したアプリケーションが実行する制御に相当し、図３に示した接点取得部１０１及びコンテンツ表示制御部１５０が行う。なお、図３においては代表的な操作対象としてコンテンツを想定しているが、図１２の動作においてはコンテンツの代わりにフォルダを操作対象としている。
【０１３０】
ステップＳ１２２では、携帯端末１に保存されている多数のフォルダの中に、１つ以上の秘匿フォルダが存在するか否かをコンテンツ表示制御部１５０が識別する。秘匿フォルダとは、秘匿属性がＹＥＳのフォルダを意味する。秘匿フォルダが存在する場合はステップＳ１２３に進み、通常フォルダだけの場合はステップＳ１２９に進む。通常フォルダとは、秘匿属性がＮＯのフォルダを意味する。
【０１３１】
ステップＳ１２３では、ステップＳ１２１でタッチを検出してからリリース状態（操作面から指が離れた状態）を検出するまでの間に、接触を検出している位置座標が認証用エリアを通過したか否かをロック解除属性判定部１５２が識別する。認証用エリアとは、予め決められた画面上の領域のことであり、図１３に示す４つのロック解除判定エリアの領域７２Ａ，７２Ｂ，７２Ｃ，７２Ｄのそれぞれに相当する。
【０１３２】
例えば、図１３の画面７０Ｂを表示している状態で、ユーザがアイコン７１のオブジェクトの位置を指でタッチし、タッチ状態を維持したまま移動してからリリースした場合に、タッチ位置がリリース前に領域７２Ａ〜７２Ｄの範囲内を通過したか否かを識別する。
【０１３３】
少なくとも１つの認証用エリアの通過を検出した場合はステップＳ１２４に進み、通過する前にリリースを検出した場合はステップＳ１２９に進む。
【０１３４】
ステップＳ１２４では、ロック解除属性判定部１５２は、ステップＳ１０１でタッチを検出してからリリース状態を検出するまでの経過時間の長さを予め定めた所定時間と比較する。所定時間以内であればステップＳ１２５に進み、所定時間を超えた場合はタイムアウトとみなしてステップＳ１２９に進む、即ち、ロック解除属性判定部１５２は、対応する秘匿コンテンツの画面表示を禁止する。
【０１３５】
ステップＳ１２５では、ロック解除属性判定部１５２が初回接点の位置情報と、認証用エリアの通過順序の情報とを接点取得部１０１から取得する。初回接点は、図１３の画面７０Ｂ中のアイコン７１の表示位置に相当する。認証用エリアの通過順序の情報とは、最初にタッチを検出した位置からリリースを検出するまでの間のタッチ位置の移動軌跡７３が、認証用エリア（領域７２Ａ〜７２Ｄのそれぞれの範囲内）を通過した順番を表す。
【０１３６】
例えば、ユーザが一筆書きの要領で、アイコン７１の位置から、４カ所の認証用エリア（領域７２Ａ〜７２Ｄ）を順番になぞるようにタッチした指を移動した場合には、次のような情報が通過順序として得られる。
【０１３７】
具体的には、
１番目の通過位置：ロック解除判定エリアの領域７２Ａに対応する情報、
２番目の通過位置：ロック解除判定エリアの領域７２Ｂに対応する情報、
３番目の通過位置：ロック解除判定エリアの領域７２Ｃに対応する情報、及び
４番目の通過位置：ロック解除判定エリアの領域７２Ｄに対応する情報である。
【０１３８】
ステップＳ１２６では、ロック解除属性判定部１５２が認証のための比較処理を行う。具体的には、一覧表示対象の実際に存在している多数のフォルダの中に、秘匿属性：ＹＥＳの属性を有する秘匿フォルダがある場合に、各秘匿フォルダに登録されている認証用接点パターンの内容と、ステップＳ１２５で取得した通過順序とを比較する。
【０１３９】
携帯端末１に保存されている多数のフォルダの中に１つ又は複数の秘匿フォルダがあり、且つ比較の結果として一致、即ちユーザ認証の成功を検出した場合はステップＳ１２７に進む。通常フォルダのみが存在する場合、又は比較結果が一致しなかった場合はステップＳ１２９に進む。
【０１４０】
ステップＳ１２７では、ユーザ認証の結果に従ってロック解除属性判定部１５２が対応する秘匿フォルダの存在を表す画面表示（例えば対応する秘匿フォルダのアイコン又は名称の表示）を可能にする。これにより、コンテンツ本体表示部１５１は、多数のフォルダの中に含まれている通常フォルダと、秘匿フォルダとの両方を表示装置１４０の画面上に表示することができる。従って、例えば図１３に示した画面７０Ｃのような内容がフォルダ一覧として表示される。
【０１４１】
また、図１３に示す画面７０Ｃにおいては、秘匿フォルダ７４Ａ〜７４Ｃに同じ認証用接点パターンを割り当てた場合を想定しているが、フォルダ毎に独立した認証用接点パターンを割り当てることもできる。その場合は、ステップＳ１２６で一致が検出されたフォルダ以外の秘匿フォルダは画面に表示しない。
【０１４２】
ステップＳ１２８では、ロック解除属性判定部１５２がステップＳ１２６におけるユーザ認証の結果に従って、携帯端末１のロックを解除する。即ち、例えばユーザ認証に成功した秘匿フォルダの中に保存されているコンテンツが動画である場合には、携帯端末１は、携帯端末１にインストールされているアプリケーションがその動画の内容にアクセスしてそれを再生するための動作を許容する状態に切り替える（ロックの解除）。
【０１４３】
ステップＳ１２９では、コンテンツ本体表示部１５１は、実在する多数のフォルダの中で、通常フォルダのみを表示装置１４０の画面上に表示する。従って、例えば図１３に示した画面７０Ｄのような内容がフォルダ一覧として表示される。また、ステップＳ１２７とステップＳ１２８とは別々の動作として説明しているが、一つのステップとして統合してもよい。
【０１４４】
上述のように、携帯端末１のユーザは、表示装置１４０に表示されるフォルダに指で触れてフォルダを選択し、予め定めた認証用接点パターンＰＡ１と一致する位置を通過するように指のタッチ位置を移動することによりユーザ認証を行うことができる。つまり、フォルダ内のコンテンツ等が秘匿属性を有する場合であっても、秘匿フォルダが携帯端末１に存在することを第三者に悟られること無く、簡単な操作でその存在の有無を正規のユーザのみが確認すると共に、アクセスのためのロックを解除することが可能になる。
【０１４５】
＜複数位置＋回数の一致で認証＞
前述のように、接点位置記憶部としてのロック解除属性保存部１２２は、少なくとも１つの秘匿コンテンツ、若しくは少なくとも１つの秘匿フォルダに対して、互いに異なる複数の位置のそれぞれを表す認証位置情報及び通過回数情報（図６、図８の認証用接点パターン）を記憶してもよい。
【０１４６】
また、表示制御部としてのロック解除属性判定部１５２は、ユーザ認証において、接触位置の移動中の接触位置（移動軌跡５５）と複数の認証位置情報（ロック解除判定エリアの領域５４Ａ〜５４Ｄの位置）との比較により、一致を検出した回数と通過回数情報とに基づきユーザ認証してもよい（Ｓ１０５）。
【０１４７】
これにより、ユーザは移動軌跡が画面上の所定の位置を通過するように一筆書きの要領で接触した指を移動するだけで、携帯端末１は、ユーザ認証を行うことができ、秘匿コンテンツ等を表示してロックを解除することが可能になる。
【０１４８】
＜複数位置の通過順序の一致で認証＞
前述のように、接点位置記憶部としてのロック解除属性保存部１２２は、少なくとも１つの秘匿コンテンツ、若しくは少なくとも１つの秘匿フォルダに対して、互いに異なる複数の位置を表す認証位置情報及び複数の位置の通過順序（図６、図８の認証用接点パターン）を記憶してもよい。
【０１４９】
また、表示制御部としてのロック解除属性判定部１５２は、ユーザ認証において、接触位置のタッチパネル１３０上を移動中の接触位置（移動軌跡５５）と複数の認証位置情報（ロック解除判定エリアの領域５４Ａ〜５４Ｄの位置）とを比較する。更に、ロック解除属性判定部１５２は、接触位置のタッチパネル１３０上を移動中の接触位置が認証位置情報を通過した順序と接点位置記憶部としてのロック解除属性保存部１２２に保存されている複数の認証位置の通過順序とに基づき認証してもよい（Ｓ１０５）。
【０１５０】
これにより、ユーザは移動軌跡が画面上の所定の位置を通過するように一筆書きの要領で接触した指を移動するだけで、携帯端末１は、ユーザ認証を行うことができ、秘匿コンテンツを表示してロックを解除することが可能になる。特に、所定の位置を通過する順序を変更することにより、多数の認証パターンを利用可能になる。
【０１５１】
＜フォルダ内のコンテンツ毎に異なる認証を行う＞
前述のように、接点位置記憶部としてのロック解除属性保存部１２２は、フォルダ内の複数の秘匿コンテンツのそれぞれに対して、図８に示す異なる認証位置情報を関連付けて保存する。
【０１５２】
また、表示制御部としてのロック解除属性判定部１５２は、ユーザ認証において、ユーザの入力操作により選択された秘匿コンテンツ毎に、異なる認証位置情報（図８の認証用接点パターン）を用いて認証する。
【０１５３】
これにより、携帯端末１は、存在を表示するか及びロックを解除するか否かをコンテンツ毎にユーザが指定することが可能になる。
【０１５４】
＜フォルダ毎に異なる認証を行う＞
前述のように、接点位置記憶部としてのロック解除属性保存部１２２は、フォルダが複数存在する場合に、図１１に示すデータテーブルのように、複数のフォルダのそれぞれに対して、異なる認証位置情報（認証用接点パターンＰＡ１〜ＰＡ３）を対応するフォルダに関連付けて保存する。
【０１５５】
また、表示制御部としてのロック解除属性判定部１５２は、ユーザ認証において、ユーザの入力操作により選択されたフォルダ毎に異なる認証位置情報を用いて認証する（Ｓ１２６）。
【０１５６】
これにより、携帯端末１は、存在を表示するか及びロックを解除するか否かをフォルダ毎にユーザが指定することが可能になる。
【０１５７】
＜タイムアウト＞
前述のように、表示制御部としてのロック解除属性判定部１５２は、ユーザ認証において、予め定めた所定時間以内に認証の成功を検出しない場合は認証失敗とみなし、対応する秘匿コンテンツ又は秘匿フォルダの画面表示を禁止する（Ｓ１０３Ｂ，Ｓ１０８）。
【０１５８】
これにより、携帯端末１は、正規のユーザが事前に登録した認証用接点パターンを知らない第三者の入力操作を正規のユーザの操作と誤認するのを防止できる。即ち、携帯端末１は、正しい認証用接点パターンを知っている正規のユーザであれば、短時間で正しい入力操作ができるので、ユーザ本人と第三者とを時間の長さで区別できる。
【０１５９】
＜端末操作のロック解除＞
前述のように、表示制御部としてのロック解除属性判定部１５２は、フォルダに対するユーザ操作について、ユーザ認証が成功した場合に、秘匿コンテンツへのアクセス及び秘匿コンテンツを除くユーザ認証を必要とする機能の制限を同時に解除する（Ｓ１０７）。
【０１６０】
これにより、ユーザは簡単な入力操作を行うだけで、携帯端末１は、秘匿コンテンツの存在の有無の確認が可能になる。また、携帯端末１は、同時に秘匿コンテンツにアクセスする際のロックを解除できる。
【０１６１】
＜フォルダ一覧を表示する場合の制御＞
前述のように、表示制御部としてのコンテンツ表示制御部１５０は、秘匿フォルダ、若しくは秘匿フォルダが含まれる複数フォルダの一覧表示がユーザの入力操作により指示された場合に、ユーザの所定の入力操作によりユーザ認証が成功した場合に限り、秘匿フォルダを表示する（Ｓ１２７）。
【０１６２】
これにより、ユーザは簡単な入力操作を行うだけで、携帯端末１は、秘匿属性を有するフォルダの存在の有無の確認が可能になる。また、携帯端末１は、同時に秘匿属性を有する秘匿フォルダ内のコンテンツ又は秘匿コンテンツにアクセスする際のロックを解除できる。
【０１６３】
＜ユーザ操作で位置情報を登録する＞
前述のように、携帯端末１は、秘匿コンテンツもしくは対応するフォルダに関連付けられる認証位置情報を、タッチパネル１３０に対するユーザの入力操作に従って、接点位置記憶部としてのロック解除属性保存部１２２に登録するロック解除属性登録部１１２を備える。
【０１６４】
これにより、ユーザは所望の認証用接点パターンをコンテンツ等に対応付けて登録することが可能になる。
【０１６５】
＜ユーザ認証に使う領域を角部などに限定する＞
前述のように、ロック解除属性登録部１１２は、接点取得部１０１により検出された接触位置が、タッチパネル１３０の矩形の４つの角部のいずれかに近い所定の領域（図５の領域６３Ａ〜６３Ｄの範囲内）と一致した場合に、接点取得部１０１により検出された接触位置を認証位置情報として、接点位置記憶部としてのロック解除属性保存部１２２に登録する。
【０１６６】
これにより、領域６３Ａ〜６３Ｄの範囲を画面上に表示しなくても、ユーザは認証の際に指のタッチ位置が通過すべき領域を容易に把握でき、入力操作が容易になる。また、携帯端末１は、領域６３Ａ〜６３Ｄの範囲を画面上に表示する必要がないので、ユーザ認証が必要であることを第三者に悟られる心配がない。
【０１６７】
以上、図面を参照しながら各種の実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【０１６８】
本発明は、秘匿コンテンツが存在することを第三者に悟られること無く、正規のユーザのみが簡単な操作によって、秘匿コンテンツの存在確認を可能にし、更に、秘匿コンテンツのロック状態を解除する携帯端末及び表示制御方法として有用である。
【符号の説明】
【０１６９】
１  携帯端末
１０  筐体
３０  主制御部
３１  電源回路部
３２  タッチパネル制御部
３３  スピーカ
３４  マイクロフォン
３５  音声制御部
３６  通信制御部
３６Ａ  アンテナ
３７  記憶部
３８  情報記録媒体
１０１  接点取得部
１１０  コンテンツ登録部
１１１  コンテンツ本体登録部
１１２  ロック解除属性登録部
１２１  コンテンツ本体保存部
１２２  ロック解除属性保存部
１３０  タッチパネル
１４０  表示装置
１５０  コンテンツ表示制御部
１５１  コンテンツ本体表示部
１５２  ロック解除属性判定部
【図１】
2013152641.tif 000003
【図２】
2013152641.tif 000004
【図３】
2013152641.tif 000005
【図４】
2013152641.tif 000006
【図５】
2013152641.tif 000007
【図６】
2013152641.tif 000008
【図７】
2013152641.tif 000009
【図８】
2013152641.tif 000010
【図９】
2013152641.tif 000011
【図１０】
2013152641.tif 000012
【図１１】
2013152641.tif 000013
【図１２】
2013152641.tif 000014
【図１３】
2013152641.tif 000015